(57)【特許請求の範囲】
【請求項１】
毛髪に形状を付与する毛髪形状付与用具であって、
前記毛髪を被覆可能な中空の円筒、円柱、円錐体のいずれかの形状からなる筒部を備えるとともに、
前記筒部の長さ方向には、前記毛髪の長さ方向に沿って前記毛髪を前記筒部内に収納可能なスリットが形成されてなる毛髪形状付与用具であり、
前記毛髪の根本を伸長させた状態で少なくとも前記毛髪の根本近傍を前記スリット内に収納させた後、前記毛髪に毛髪処理液を与えて及び／又は熱を与え、少なくとも毛髪の根本を立毛させた状態の毛髪形状を付与する毛髪形状付与用具。
【請求項２】
前記筒部の高さが３〜５０ｍｍである請求項１に記載の毛髪形状付与用具。
【請求項３】
前記筒部が少なくともシート状部材で構成されている請求項１又は２に記載の毛髪形状付与用具。
【請求項４】
前記シート状部材が使用時に筒状に変形した筒部になる請求項３に記載の毛髪形状付与用具。
【請求項５】
常温で形状を自由に変えられる程度に軟らかいウレタン樹脂、ＥＶＡ樹脂、樹脂粘土、シリコンゴム、及び合成ゴムからなる群より選択されるいずれか１つ又は複数の材質から構成されている請求項１〜４のいずれか１項に記載の毛髪形状付与用具。
【請求項６】
前記筒部の内面側が、吸水性又は多孔質の材質で形成される請求項１〜５のいずれか１項に記載の毛髪形状付与用具。
【請求項７】
前記筒部の内面側の一部が、少なくとも粗面に形成されてなる請求項１〜６のいずれか１項に記載の毛髪形状付与用具。
【請求項８】
前記筒部が上端部と下端部を備え、前記下端部側の径が、前記上端部側の径よりも大きい請求項１〜７のいずれか１項に記載の毛髪形状付与用具。
【請求項９】
前記筒部の下端部の表面が、頭皮に密着可能な粘着材料でコートされている請求項８に記載の毛髪形状付与用具。
【請求項１０】
前記筒部の肉厚が０．１〜２．０ｍｍである請求項１〜９のいずれか１項に記載の毛髪形状付与用具。
【請求項１１】
毛髪に形状を付与する方法であって、請求項１〜１０のいずれか１項に記載の毛髪形状付与用具を使用して、前記毛髪の根本を伸長させた状態で少なくとも前記毛髪の根本近傍を立毛させた後、前記毛髪に毛髪処理液を与えて及び／又は熱を与え、少なくとも毛髪の根本を立毛させた状態の毛髪形状を、毛髪に形状を付与する方法。
【請求項１２】
請求項１〜１０のいずれか１項に記載の毛髪形状付与用具を毛髪に被せるためのアプリケーターであって、前記毛髪形状付与用具を内部に収容可能、且つ、連続的に前記毛髪形状付与用具を繰り出し可能な毛髪形状付与用具のアプリケーター。
【発明の詳細な説明】
【技術分野】
【０００１】
本発明は、毛髪形状付与用具、毛髪形状処理方法、及び毛髪形状付与用具のアプリケーターに関するものである。とりわけ、毛髪の根元を立毛させ、頭髪全体にボリューム感を与えることができる毛髪形状付与用具、毛髪形状処理方法、及び毛髪形状付与用具のアプリケーターに関するものである。
【背景技術】
【０００２】
毛髪形状付与用具としては、従来から毛髪の形状を付与するパーマ用ロッドがある。このパーマ用ロッドでは、毛髪をパーマ用ロッドの外周に巻いて、パーマ液を毛髪に浸透させ、毛髪の形状を付与させるために使用するものである。
【０００３】
しかし、このパーマ用ロッドでは、毛髪をその部材の外周に巻くものであるため、毛髪の根元近傍が立毛せず、毛髪の形状処理を十分に行えない。
【０００４】
このような問題に対して、次の特許文献１、２がある。
【０００５】
特許文献１では、筒状のロッドにスリットを設けて開くようにし、パーマをかけたくない毛髪部分を、開いたスリットから筒内に入れ込み、パーマをかけられるようにしたロッドが開示されている。
【０００６】
特許文献２では、毛髪巻着部が、その全長に渡る第１スリットにより切断されて弾性復元可能に圧縮変形し、毛髪巻着部の中間部に形成された第２スリットを毛先保持手段として備え、さらに根元側または毛先を保持する第３スリットにより緊張力を付与した状態を維持するように構成した毛髪巻き取り具が開示されている。
【先行技術文献】
【特許文献】
【０００７】
【特許文献１】特開２００４−２３７０３０号公報
【特許文献２】特開平１０−２７２０１１号公報
【発明の概要】
【発明が解決しようとする課題】
【０００８】
しかし、特許文献１、２とも、毛髪を立毛させるものではない。特に、特許文献１では毛先など根元以外の部分をスリットの内側に入れこんでしまい、毛髪の根元をしっかりと巻くようにしている。また、特許文献２では、毛先などを保持用のスリットに挟んで、毛髪に緊張力をかけた状態で、毛髪の根元にパーマをかけるようにしている。このように、いずれも毛髪をロッド等の周囲に巻いてカールパーマをかけるものであり、毛髪の根元にもカールがつけられるものである。したがって、毛髪の根元を立毛させるものではないため、毛髪にボリューム感を持たせることはできない。
【０００９】
本発明は、上述した従来技術の問題点に鑑みてなされたものであり、その目的とするところは、毛髪に形状を付与する毛髪形状付与用具であって、前記毛髪を被覆可能な筒部を備えるとともに、前記筒部の長さ方向には、前記毛髪の長さ方向に沿って毛髪を前記筒部内に収納可能なスリットが形成されてなる毛髪形状付与用具、毛髪に形状を付与する方法、及び毛髪形状付与用具のアプリケーターを提供することにより、毛髪に形状を付与することができるものである。とりわけ、毛髪の根元を立毛させ、頭髪全体にボリューム感を与えることができる毛髪形状付与用具、毛髪に形状を付与する方法、及び毛髪形状付与用具のアプリケーターを提供するものである。
【課題を解決するための手段】
【００１０】
本発明により、以下の毛髪形状付与用具、毛髪に形状を付与する方法、及び毛髪形状付与用具のアプリケーターが提供される。
【００１１】
［１］  毛髪に形状を付与する毛髪形状付与用具であって、前記毛髪を被覆可能な中空の円筒、円柱、円錐体のいずれかの形状からなる筒部を備えるとともに、前記筒部の長さ方向には、前記毛髪の長さ方向に沿って前記毛髪を前記筒部内に収納可能なスリットが形成されてなる毛髪形状付与用具であり、前記毛髪の根本を伸長させた状態で少なくとも前記毛髪の根本近傍を前記スリット内に収納させた後、前記毛髪に毛髪処理液を与えて及び／又は熱を与え、少なくとも毛髪の根本を立毛させた状態の毛髪形状を付与する毛髪形状付与用具。
【００１２】
［２］  前記筒部の高さが３〜５０ｍｍである［１］に記載の毛髪形状付与用具。
［３］  前記筒部が少なくともシート状部材で構成されている［１］又は［２］に記載の毛髪形状付与用具。
［４］  前記シート状部材が使用時に筒状に変形した筒部になる［３］に記載の毛髪形状付与用具。
【００１３】
［５］  常温で形状を自由に変えられる程度に軟らかいウレタン樹脂、ＥＶＡ樹脂、樹脂
粘土、シリコンゴム、及び合成ゴムからなる群より選択されるいずれか１つ又は複数の材
質から構成されている［１］〜［４］のいずれかに記載の毛髪形状付与用具。
【００１４】
［６］  前記筒部の内面側が、吸水性又は多孔質の材質で形成される［１］〜［５］のいずれかに記載の毛髪形状付与用具。
【００１５】
［７］  前記筒部の内面側の一部が、少なくとも粗面に形成されてなる［１］〜［６］のいずれかに記載の毛髪形状付与用具。
【００１６】
［８］  前記筒部が上端部と下端部を備え、前記下端部側の径が、前記上端部側の径よりも大きい［１］〜［７］のいずれかに記載の毛髪形状付与用具。
【００１７】
［９］  前記筒部の下端部の表面が、頭皮に密着可能な粘着材料でコートされている［８］に記載の毛髪形状付与用具。
［１０］ 前記筒部の肉厚が０．１〜２．０ｍｍである［１］〜［９］のいずれかに記載の毛髪形状付与用具。
【００１８】
［１１］  毛髪に形状を付与する方法であって、［１］〜［１０］のいずれかに記載の毛髪形状付与用具を使用して、前記毛髪の根本を伸長させた状態で少なくとも前記毛髪の根本近傍を立毛させた後、前記毛髪に毛髪処理液を与えて及び／又は熱を与え、少なくとも毛髪の根本を立毛させた状態の毛髪形状を、毛髪に形状を付与する方法。
【００１９】
［１２］  ［１］〜［１０］のいずれかに記載の毛髪形状付与用具を毛髪に被せるためのアプリケーターであって、前記毛髪形状付与用具を内部に収容可能、且つ、連続的に前記毛髪形状付与用具を繰り出し可能な毛髪形状付与用具のアプリケーター。
【発明の効果】
【００２０】
本発明によれば、毛髪に形状を付与する毛髪形状付与用具であって、前記毛髪を被覆可能な筒部を備えるとともに、前記筒部の長さ方向には、前記毛髪の長さ方向に沿って毛髪を前記筒部内に収納可能なスリットが形成されることにより、毛髪に形状を付与することができる毛髪形状付与用具、毛髪に形状を付与する方法、及び毛髪形状付与用具のアプリケーターを提供できる。とりわけ、毛髪の根元を立毛させ、頭髪全体にボリューム感を与えることができる毛髪形状付与用具、毛髪に形状を付与する方法、及び毛髪形状付与用具のアプリケーターを提供でき、優れた効果を奏するものである。
【図面の簡単な説明】
【００２１】
【図１】本発明の毛髪形状付与用具の一実施形態を示す斜視図であって使用状態を模式的に示した図である。
【図２】本発明の毛髪形状付与用具の別の実施形態の使用状態を模式的に示した図である。
【図３】本発明の毛髪形状付与用具を毛髪に取り付ける前の、毛髪の根本部分の状態を、模式的に示した図である。
【図４】本発明の毛髪形状付与用具を、毛髪に取り付けて毛髪の根本部分を立毛させた後、本発明の毛髪形状付与用具を取り外した、毛髪の根本部分の状態を、模式的に示した図である。
【図５】本発明の毛髪形状付与用具の別の実施形態を示す斜視図であって模式的に示した図である。
【図６Ａ】本発明の毛髪形状付与用具の別の実施形態を示す斜視図であって模式的に示した図である。
【図６Ｂ】本発明の毛髪形状付与用具の別の実施形態を示す斜視図であって模式的に示した図である。
【図６Ｃ】本発明の毛髪形状付与用具の別の実施形態を示す斜視図であって模式的に示した図である。
【図６Ｄ】本発明の毛髪形状付与用具の別の実施形態を示す斜視図であって模式的に示した図である。
【図７】本発明の毛髪形状付与用具の別の実施形態を示す斜視図であって模式的に示した図である。
【図８Ａ】本発明の毛髪形状付与用具を毛髪に取り付ける前の、毛髪の根本部分の状態を、模式的に示した図である。
【図８Ｂ】本発明の毛髪形状付与用具の一実施形態を示す斜視図であって使用状態を模式的に示した図である。
【図８Ｃ】本発明の毛髪形状付与用具を使用した後の、毛髪の根本部分の状態を、模式的に示した図である。
【図９】本発明の毛髪形状付与用具の別の実施形態を示す斜視図であって模式的に示した図である。
【図１０】本発明の毛髪形状付与用具の別の実施形態を示す斜視図であって模式的に示した図である。
【図１１Ａ】本発明の毛髪形状付与用具のアプリケーターの一実施形態を示す斜視図であって模式的に示した図である。
【図１１Ｂ】本発明の毛髪形状付与用具のアプリケーターの一実施形態を示す斜視図であって模式的に示した図である。
【図１１Ｃ】本発明の毛髪形状付与用具のアプリケーターの一実施形態を示す斜視図であって模式的に示した図である。
【発明を実施するための形態】
【００２２】
以下、本発明の毛髪形状付与用具、毛髪に形状を付与する方法、及び毛髪形状付与用具のアプリケーターを実施するための形態について、図面を参照しながら具体的に説明する。但し、本発明はその発明特定事項を備える毛髪形状の処理装置を広く包含するものであり、以下の実施形態に限定されるものではない。
【００２３】
［１］本発明の毛髪形状付与用具の構成：
本発明は、図１、図２、図５に示されるように、毛髪９９に形状を付与する毛髪形状付与用具１であって、前記毛髪を被覆可能な筒部１５を備えるとともに、前記筒部１５の長さ方向には、前記毛髪の長さ方向に沿って毛髪を前記筒部内に収納可能なスリットＳが形成されてなる毛髪形状付与用具１として構成されている。すなわち、毛髪を伸ばしたままの状態で（伸張させた状態で）、毛髪形状付与用具を毛髪に被覆して、毛髪の形状処理をするものである。さらに、筒部内に毛髪を収納させた状態で、毛髪が筒部の長さ分、筒部の内壁に支持され、頭皮上で毛髪を立毛（起毛）させることができる。したがって、このように、毛髪形状付与用具に毛髪を挿入した状態で、ドライアー等で熱を毛髪に与えることで、起立した状態の形状を毛髪に与えることができる。さらには、前述のように、毛髪形状付与用具をセットする前後のいずれかの時点で、毛髪にパーマ液等をつけたりして、熱処理を施してもよい。
【００２４】
さらに、前記毛髪の根元近傍から毛髪に形状を付与できるように毛髪形状付与用具が構成されていることが好ましい。このように構成されることによって、確実に、毛髪の根元を起立させることができる。
【００２５】
たとえば、個人差はあるものの、毛髪は通常寝ている状態であるため、毛髪に立毛させる形状を付与させることは難しい。特に、毛髪の長さが長いほど、毛髪が寝てしまう傾向がある。さらに、毛髪が減り出した頃には、毛髪の太さも細くなるため、図３、図８Ａに示されるように、毛髪９９が寝てしまう傾向が顕著となる。このような、寝ている状態の毛髪を立毛させるには、毛髪が立毛する方向にテンションをかけてひっぱりながら、ドライアー等の熱処理等を行って、毛髪に形状を付与させる方法等が考えられる。しかし、手などの人力では、「テンションをかけながら引っ張る」作業に負担がかかり、毛髪を立毛させる作業がし難く、煩雑となる。また、市販されているパーマ用ロッドでは、パーマロッドの外周上に毛髪を捲いて作業を行うため、毛髪の根本部分を立毛させるものでない。さらに、パーマロッドを使用する場合には、パーマロッドの自重によって、却って毛髪が寝てしまうため、毛髪を立毛させることができない。しかし、図１、図２、図５に示されるように、女性の毛髪９９の根元部に、毛髪形状付与用具１を被せることで、根元部分を立たせることができる。さらに、このような状態で、毛髪処理剤で処理をすると、図４、図８Ｃに示されるように、毛髪９９の根本部分を頭皮１０１から立毛させることができ、頭髪全体にボリューム感が生じる。
【００２６】
ここで、筒部は、中空の円筒、円柱、円錐体、あるいは立方体等などのいずれの形状でもよく、特に限定されるものではない。なお、予め筒部を備える毛髪形状付与用具を、その側面から毛髪に被せる場合には、筒部の外周壁の１側面に、上面から底面に達するスリットを設けることで、取り付けしやすくなっている。
【００２７】
筒部の寸法は、特に限定されないが、たとえば、高さ（筒部の長さ）３〜５０ｍｍ、内径１〜１５ｍｍ、スリット幅０．１〜１ｍｍ、厚さ（筒部の肉厚）０．１〜２．０ｍｍを挙げることができる。
【００２８】
なお、前述のような筒部を備える毛髪形状付与用具では、径方向に弾力があり、押圧によりスリット部が開いて毛髪を被せやすいように形成されていることが好ましい。また、毛髪に毛髪形状付与用具を被せた後に、スリット部が閉じて、毛髪を毛髪形状付与用具内部に保持できることが好ましい。このような筒部の材質としては、前記効果を得るものであれば特に限定されるものではないが、好ましい材質としては、ウレタン樹脂、ＥＶＡ樹脂、樹脂粘土、シリコンゴム、合成ゴム等を例示できる。
【００２９】
より具体的には、たとえば、図６Ａ〜図６Ｄに示される毛髪形状付与用具を例示できる。たとえば、図６Ａに示される毛髪形状付与用具１Ａは、筒部の外周壁１１の長さ方向に向かって、スリット部Ｓが形成される。また、筒部１５の上端部１２ａから下端部１２ｂにかけて筒部１５の内径ｄが一定となっている。さらに、上端部１２ａの径と、下端部１２ｂの径が同じ寸法に形成されている。また、図６Ｂに示される毛髪形状付与用具１Ｂは、筒部１５の外周壁１１の長さ方向に向かって、スリット部Ｓが形成され、このスリット部Ｓが形成されている領域のみが、毛髪を収納可能な収納部ｘとなっている。また、図６Ｃに示される毛髪形状付与用具１Ｃは、図６Ａと同様に、筒部１５の外周壁１１の長さ方向に向かってスリット部Ｓが形成される。また、図６Ａよりも外周壁１１が肉厚となっているため、毛髪を収納する収納部ｘのスペースが狭くなっている。この収納部ｘと筒部１５は同心を有し、筒部１５は収納部ｘよりも大きい円状となっている。また、図６Ｄに示される毛髪形状付与用具１Ｄは、平面視矩形状に形成される平板の中心に、毛髪を収納する収納部ｘが形成される。また、その収納部ｘに毛髪を収納可能に、外壁１１の一部にスリットＳを形成し、そのスリットＳと収納部ｘを連通させている。なお、この図６Ｂ、図６Ｄの毛髪形状付与用具１Ｂ，１Ｄであっても、本実施形態における筒部に含まれる。
【００３０】
なお、毛髪形状付与用具１の被せ方は、図５に示されるように、１本の毛髪９９に、１本の毛髪形状付与用具１を被せてもよいし、図１に示されるように、複数本の毛髪をまとめて１本の毛髪形状付与用具１を被せてもよい。図２、図５に示されるように、１本の毛髪に１本の毛髪形状付与用具１を被せる場合には、１本１本の毛髪に、確実に立毛といった形状付与を与えることができるから好ましい。また、図１に示されるように、複数本の毛髪をまとめて、一つの毛髪形状付与用具を被せる場合には、作業効率を向上させることができるから好ましい。
【００３１】
なお、図１は、本発明の毛髪形状付与用具の一実施形態を示す斜視図であって模式的に示した図である。また、図２は、本発明の毛髪形状付与用具の一実施形態を模式的に示した図であり、同図の円内に描かれる図は、紙面左下側に示される女性の毛髪の根本に、本発明の毛髪形状付与用具の一実施形態を取り付けた状態を示す部分拡大図である。また、図３は、本発明の毛髪形状付与用具の一実施形態であって、毛髪に取り付ける前の状態を、模式的に示した図である。図４は、本発明の毛髪形状付与用具を、紙面左下側に示される女性の毛髪に取り付けて毛髪の根本部分を立毛させた後、本発明の毛髪形状付与用具を取り外した、毛髪の根本部分の状態を、模式的に同図の円内に示した図である。
【００３２】
好ましくは、毛髪形状付与用具が、常温（２０℃）で形状を自由に変えられる程度に軟かい材質から構成されていることである。毛髪を被覆させやすく、毛髪に立毛させる形状を付与させやすくなる。このような材質としては、ウレタン樹脂、ＥＶＡ樹脂、樹脂粘土、シリコンゴム、合成ゴム等、α−ポリオレフィン系ポリマー等を挙げることができる。ここで、形状を自由に変えられる程度に軟かい材質とは、例示したような常温付近で塑性変形可能な材質をいう。
【００３３】
たとえば、前述のような軟らかい材質から形成されたシート状部材を、その一部あるいは全体を円筒形状に形成して、毛髪の根元に巻きつけ可能な毛髪形状付与用具であってもよい。
【００３４】
また、前記筒部の内面側が、吸水性又は多孔質の材質で形成されることが好ましい。このように構成されることによって、毛髪形状付与用具の筒部であって、毛髪と接触する内面に、たとえば、毛髪処理液を含浸させることができる。したがって、毛髪形状付与用具の、毛髪を立毛させるといった毛髪形状付与効果を高めることができる。加えて、毛髪を立毛させるといった毛髪形状付与効果以外の効果を与えることも可能となる。たとえば、毛髪にトリートメント効果を与えたりすることができる。
【００３５】
また、吸水性の材質で形成される領域は、毛髪形状付与用具の筒部の、少なくとも毛髪に接する内面側であればよく、筒部の内面側の一部でも全部でもよい。少なくとも、毛髪に接する内面側の一部にその領域が形成されれば、毛髪形状付与効果を付与できるためである。
【００３６】
さらに、筒部が、毛髪に接する面を含む内側部材と、内側部材を内包して外面を形成する外側部材とから構成されるとともに、毛髪形状付与用具の、少なくとも毛髪に接する内面側が、吸水性又は多孔質性の材質で形成されることが好ましい。このように構成されることによって、毛髪形状付与用具の筒部の、毛髪と接触する内面に、たとえば、毛髪処理液を含浸させることができる。
【００３７】
具体的に、吸水性の材質としては、ＰＶＡ、吸水ウレタン、あるいは吸水オレフィン等のスポンジを挙げることができる。また、多孔質性の材質としては、多孔質セラミック、多孔質ウレタン樹脂等を挙げることができる。
【００３８】
また、毛髪形状付与用具の筒部は、毛髪に接する面を含む内側部材と、内側部材を内包して外面を形成する外側部材とで構成され、内側部材と外側部材とは同一の材質であってもよいし、異なる材質であってもよい。
【００３９】
さらに、筒部の内側部材は、内部に固定されていてもよく、あるいは着脱可能に構成して交換可能としてもよい。この着脱は、特に限定されるものではなく、公知の方法によってもよい。たとえば、固定部材を介して機械的に嵌め込む等によって着脱してもよいし、クリップ、或いはマジックテープによって着脱してもよい。
【００４０】
なお、使用する毛髪処理液は、パーマ液に限らず、スタイリング剤や育毛剤など、毛髪を処理できるものであれば何でもよい。
【００４１】
また、本実施形態の毛髪形状付与用具と、合わせて毛髪処理液を使用する場合には、毛髪形状付与用具を毛髪の根元に被せてから、パーマ液その他の毛髪処理剤を付与してもよい。或いは、予め毛髪処理剤を含浸させた毛髪形状付与用具を、毛髪の根元に被せて、毛髪処理をしてもよい。
【００４２】
さらに、筒部の内面側の一部が、少なくとも粗面に形成されてなることが好ましい。このように構成されることによって、筒部内に毛髪を挿入して、毛髪に毛髪形状付与用具を被せた後に、粗面状に形成された筒部の内面に毛髪を捕捉できる。しかも、頭皮から前記毛髪形状付与用具が浮き上がらないように、毛髪の位置決めを行えることができる。そのため、毛髪に形状付与すること、とりわけ、毛髪の根本を起毛させることができる。
【００４３】
ここで、「筒部の内面側の一部を粗面に形成する」とは、毛髪形状付与用具における筒部の、毛髪に接する内面側の一部を、ざらざらとした粗面処理加工することをいう。すなわち、毛髪形状付与用具の筒部の内面に凹凸をつけて、毛髪を保持しやすい面状に形成することをいう。このような粗面としては、内面側の長さ方向、あるいは全面に、たとえば、サンドペーパーの粒度相当で言うならば、粗目の＃１００〜細目の＃１０００程度の面処理加工が施されていることが好ましい。また、毛髪形状付与用具の筒部の、毛髪に接する内面側の一部に、鋸歯状の段部を少なくとも一つ設けることも好ましい。このように段部を設けることで、毛髪の捕捉力を高めることができる。たとえば、図９に示される、鋸歯状の段部Ｎが形成されている毛髪形状付与用具１Ｆを例示できる。
【００４４】
また、毛髪形状付与用具が、展開時にはシート状であって、毛髪に被せる際には毛髪をその内部に収納可能な筒状に変形可能であることも好ましい形態の一つである。このように毛髪形状付与用具が形成されていると、使用時に、たとえば、手巻き寿司の海苔や巻物のように、毛髪形状付与用具の内部に、毛髪を巻き込み毛髪を立毛させることができる。また、立毛させる毛髪の形状処理と同時に、立毛以外の毛髪の形状処理を容易に行える。たとえば、毛髪形状付与用具の、毛髪に被せる部分のみに、毛髪処理液を浸透させることで、立毛以外の毛髪の形状処理も同時に行える。さらに、このような構成にすることによって、保管も容易となる。加えて、毛髪の立毛を自在に行えるため好ましい。
【００４５】
このような、毛髪形状付与用具としては、たとえば、図７に示される毛髪形状付与用具１Ｅを挙げることができる。この毛髪形状付与用具１Ｅは、展開時にシート状であって、使用時に、図６Ａに示される毛髪形状付与用具１Ａに変形させて使用する。なお、この場合には、毛髪に毛髪形状付与用具を被せるためのスリットは必要ない。
【００４６】
また、毛髪形状付与用具における筒部が上端部と下端部を備え、前記下端部側の径が、前記上端部側の径よりも大きくなるように構成されることが好ましい。このように構成されることで、頭皮上で、毛髪形状付与用具が自立しやすくなる。そのため、毛髪を立毛させやすくなる。
【００４７】
ここで、下端部側の径が、前記上端部側の径よりも１．２〜３倍程度の大きさに形成されることが好ましい。下端部側の径が、余りにも大きく形成されると、頭皮上で嵩張ることにもなり、使用し難くなるからである。なお、下端部は、頭皮側になるように設置されることになる。
【００４８】
具体的には、図１０に示されるように、筒部１５が上端部１２ａと下端部１２ｂを備え、下端部１２ｂ側の径が、前記上端部１２ａ側の径よりも大きい毛髪形状付与用具を例示できる。
【００４９】
また、毛髪形状付与用具における筒部の下端部の表面が、頭皮に密着可能な粘着材料でコートされていることも好ましい形態の一つである。下端部が頭皮に密着させやすくなり、毛髪形状付与用具を自立させやすくなるから好ましい。
【００５０】
このような粘着材料としては、特に限定されるものではないが、たとえば、合成ゴム等がある。
【００５１】
［２］本発明の毛髪に形状を付与する方法：
本発明の毛髪に形状を付与する方法としては、毛髪に形状を付与する方法であって、これまで説明した毛髪形状付与用具を使用して、毛髪に形状を付与する方法である。毛髪の根元を立毛させ、頭髪全体にボリューム感を与えることができるため好ましい。
【００５２】
前述の毛髪に形状を付与する方法であって、これまで説明した毛髪形状付与用具を被せる位置が、毛髪の根元近辺であることが好ましい。このようにすることで、確実に、毛髪の根元を立毛させ、頭髪全体にボリューム感を与えることができる。さらに、毛髪に張りとコシを与えて立毛する方向に、毛髪の根元形状が処理可能となる。
【００５３】
なお、前述のような毛髪形状付与用具を使用して、毛髪形状付与用具を被せる位置を、毛髪の根元近辺以外の位置に取り付けて使用してもよい。汎用性が向上して好ましい。
【００５４】
［３］毛髪形状付与用具用アプリケーター：
また、これまで説明した毛髪形状付与用具を毛髪に被せるためのアプリケーターであって、前記毛髪形状付与用具を内部に収容可能に形成され、連続的に前記毛髪形状付与用具を繰り出し可能な毛髪形状付与用具のアプリケーターとして構成されることが好ましい。このようなアプリケーターとして構成されることによって、効率的に多数の毛髪形状付与用具を毛髪に被せることができる。たとえば、毛髪形状付与用具のアプリケーターを用意し、ワンタッチで次々と毛髪の根元部に被せられるようになる。
【００５５】
たとえば、図１１Ａ〜図１１Ｃに一例を示すように、毛髪形状付与用具のアプリケーター５１（ディスペンサー）を例示できる。このような毛髪形状付与用具のアプリケーターを使用することで、毛髪形状付与用具を毛髪に被せる作業を効率的に行うことができる。
【００５６】
具体的には、アプリケーター５１は、内部に数個の毛髪形状付与用具１を収容可能である。たとえば、アプリケーター５１の先端には、コの字状に形成される一対のブレード７９及びスライダー７７が備えられると、スライダー７７を押し出すことにより、図１１Ｂに示されるようにアプリケーター５１から毛髪形状付用具１を外部に押し出すことが可能となる。特に、このスライダー７７を押し出す過程で、毛髪形状付与用具１の両側がブレード７９に引っかかり、毛髪形状付与用具１のスリットが広げられることで、図１１Ｃに示されるように、毛髪形状付与用具１の筒部内に毛髪９９が入り込み、毛髪を被覆することができる。これにより、簡単に、毛髪形状付与用具１の毛髪への装着が完了することとなる。なお、ブレード７９が毛髪形状付与用具１に引っかかるのはブレード７９の歯が緩やかな凸状の形状（湾曲形状）を有しており、その湾曲が毛髪形状付与用具１の径の長さより短く形成されているためである。このようにブレードを、毛髪形状付与用具１の上端及び下端方向から、スライダー７７の押出しと連動するように、毛髪形状付与用具１の上端及び下端方向から、毛髪形状付与用具１に一時的に引っかかるように形成することで、毛髪形状付与用具１のスリット幅を一時的に広げることができる。なお、図１１Ｃにも示されるように、このブレード７７の引っかかりは一時的なものであるため、スライダー７７によって、毛髪形状付与用具１が完全に押し出された際には、解除されることになる。ただし、このような例に限定されるものではない。
【００５７】
なお、毛髪の根元部が露出しにくい場合等、必要に応じて、櫛７１などで毛髪９９を持ち上げて根元を露出させてから、アプリケーター５１をあてがうとよい。
【００５８】
［４］毛髪形状付与用具の使用方法：
図８Ａに示されるように、寝ている毛髪に対して、毛髪形状付与用具１のスリットを広げて、図８Ｂに示されるように、毛髪９９の根本を毛髪形状付与用具１の収納部に入れる。この後、たとえば、ストレートパーマをかけ、毛髪形状付与用具１を取り外すと、図８Ｃに示されるように、毛髪の根本が立毛した状態となる。また、前述したように、毛髪形状付与用具のアプリケーターを使用して、毛髪形状付与用具１を装着してもよい。
【産業上の利用可能性】
【００５９】
上述の通り、本発明によれば、毛髪に形状を付与する毛髪形状付与用具であって、前記毛髪を被覆可能な筒部を備えるとともに、前記筒部の長さ方向には、前記毛髪の長さ方向に沿って毛髪を前記筒部内に収納可能なスリットが形成されてなる毛髪形状付与用具、毛髪に形状を付与する方法、及び毛髪形状付与用具のアプリケーターを提供する。これにより、毛髪に形状を付与することができ、毛髪の根元を立毛させ、頭髪全体にボリューム感を与えることができる毛髪形状付与用具、毛髪に形状を付与する方法、及び毛髪形状付与用具のアプリケーターを提供できる。
【符号の説明】
【００６０】
１，１Ａ，１Ｂ，１Ｃ，１Ｄ，１Ｅ，１Ｆ，１Ｇ：毛髪形状付与用具，１１：外周壁，１２ａ：上端部，１２ｂ：下端部，１５：筒部，５１：アプリケーター（ディスペンサー），７１：櫛，７３：ブリッスル、７５：櫛本体、７７：スライダー，７９：ブレード，９９：毛髪，１０１：頭皮，ｄ：内径、Ｎ：段部、Ｓ：スリット、ｘ：収納部。
【図１】
0005555548.tif 000002
【図２】
0005555548.tif 000003
【図３】
0005555548.tif 000004
【図４】
0005555548.tif 000005
【図５】
0005555548.tif 000006
【図６Ａ】
0005555548.tif 000007
【図６Ｂ】
0005555548.tif 000008
【図６Ｃ】
0005555548.tif 000009
【図６Ｄ】
0005555548.tif 000010
【図７】
0005555548.tif 000011
【図８Ａ】
0005555548.tif 000012
【図８Ｂ】
0005555548.tif 000013
【図８Ｃ】
0005555548.tif 000014
【図９】
0005555548.tif 000015
【図１０】
0005555548.tif 000016
【図１１Ａ】
0005555548.tif 000017
【図１１Ｂ】
0005555548.tif 000018
【図１１Ｃ】
0005555548.tif 000019